【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
標準化データを管理するためのデータ管理システムであって、
データベースと、以下を実行するよう構成されるプロセッサとを含むサーバ：
通信ネットワークを介して利用者に関連する１つ以上のユーザ装置から、標準化データを含む第１の数の作成したコンテンツを受け取るステップ；
第１の所定数のコンテンツを超えて利用者が前記サーバにアップロードすることを制約するステップ；
前記通信ネットワークを介してユーザ装置にアクセス可能となるように前記第１の作成されたコンテンツを公開するステップであって、前記第１の作成されたコンテンツの各々が、前記第１の所定数に向かって数えられるステップ；
検索のために前記データベース中で前記標準化データを管理するステップ；
前記公開された第１の作成されたコンテンツの第１の所定条件が第１の所定の閾値に達したことを特定するステップ；
前記公開された第１の作成されたコンテンツの前記第１の所定条件が前記第１の所定の閾値に達したことを特定するステップに応答して、（ｉ）前記第１の作成されたコンテンツの少なくとも１つが公開されるページを、追加のコンテンツが表示される第１の利用者によって制御される枠を含むように変更し、（ｉｉ）前記第１の利用者によって制御される枠について価格を設定するために前記利用者に制限時間を設定し、（ｉｉｉ）前記利用者にアクセス可能なインターフェース上に一時的なリンクを表示し、該一時的なリンクは、前記利用者による選択に基づいて前記第１の利用者によって制御される枠について前記利用者が価格を設定できるように構成され、前記制限時間が過ぎた後は選択不能であり、かつ（ｉｖ）前記利用者が、公開のために第２の所定数の第２の作成されたコンテンツをサーバにアップロードすることを可能にする、ステップ；
前記通信ネットワークを介して前記利用者に関連する前記１つ以上のユーザ装置から、第２の数の作成したコンテンツを受け取るステップ；
前記第２の所定数の第２の作成されたコンテンツを超えて前記利用者が前記サーバにアップロードすることを制約するステップ；
前記通信ネットワークを介してユーザ装置にアクセス可能となるように前記第２の作成されたコンテンツを公開するステップであって、前記第２の作成されたコンテンツの各々が、前記第２の所定数に向かって数えられるステップ；
前記公開された第２の作成されたコンテンツの第１の所定条件が第２の所定の閾値に達したことを特定するステップ；
前記公開された第２の作成されたコンテンツの前記第１の所定条件が前記第２の所定の閾値に達したことを特定するステップに応答して、（ｉ）前記第１の作成されたコンテンツの少なくとも１つが公開されるページを、追加のコンテンツが表示される第２の利用者によって制御される枠を含むように変更し、（ｉｉ）前記第２の利用者によって制御される枠を利用するための少なくとも１つの基準の利用者管理を可能とし、かつ（ｉｉｉ）前記利用者が、公開のために第３の所定数の第３の作成されたコンテンツをサーバにアップロードすることを可能にする、ステップ、
とを含む、システム。
【請求項２】
前記標準化データが、作成され得る金銭的評価を含むことを特徴とする、請求項１に記載のデータ管理システム。
【請求項３】
前記標準化データが、作成され得る前記金銭的評価のための計算方法をさらに含むことを特徴とする、請求項２に記載のデータ管理システム。
【請求項４】
前記標準化データが、保存され得る金銭的評価を含むことを特徴とする、請求項１に記載のデータ管理システム。
【請求項５】
前記標準化データが、保存され得る前記金銭的評価のための計算方法をさらに含むことを特徴とする、請求項４に記載のデータ管理システム。
【請求項６】
前記標準化データが、炭素放出低減を含むことを特徴とする、請求項１に記載のデータ管理システム。
【請求項７】
前記標準化データが、前記第１の作成されたコンテンツを作成するために用いられる言語を含むことを特徴とする、請求項１に記載のデータ管理システム。
【請求項８】
前記データベースが、前記公開された第１の作成されたコンテンツの少なくとも１つの翻訳を受け取るよう構成されることを特徴とする、請求項１に記載のデータ管理システム。
【請求項９】
前記翻訳が、前記利用者とは異なる利用者により行われることを特徴とする、請求項８に記載のデータ管理システム。
【請求項１０】
標準化データを管理するためのコンピュータにより実行される方法であって、
サーバによって、通信ネットワークを介して利用者に関連する１つ以上のユーザ装置から、標準化データを含む第１の数の作成したコンテンツを受け取るステップ；
前記サーバによって、第１の所定数のコンテンツを超えて利用者が前記サーバにアップロードすることを制約するステップ；
前記サーバによって、前記通信ネットワークを介してユーザ装置にアクセス可能となるように前記第１の作成されたコンテンツを公開するステップであって、前記第１の作成されたコンテンツの各々が、前記第１の所定数に向かって数えられるステップ；
前記サーバによって、検索のために前記データベース中で前記標準化データを管理するステップ；
前記サーバによって、前記公開された第１の作成されたコンテンツの第１の所定条件が第１の所定の閾値に達したことを特定するステップ；
前記サーバによって、前記公開された第１の作成されたコンテンツの前記第１の所定条件が前記第１の所定の閾値に達したことを特定するステップに応答して、（ｉ）前記第１の作成されたコンテンツの少なくとも１つが公開されるページを、追加のコンテンツが表示される第１の利用者によって制御される枠を含むように変更し、（ｉｉ）前記第１の利用者によって制御される枠について価格を設定するために前記利用者に制限時間を設定し、（ｉｉｉ）前記利用者にアクセス可能なインターフェース上に一時的なリンクを表示し、該一時的なリンクは、前記利用者による選択に基づいて前記第１の利用者によって制御される枠について前記利用者が価格を設定できるように構成され、前記制限時間が過ぎた後は選択不能であり、かつ（ｉｖ）前記利用者が、公開のために第２の所定数の第２の作成されたコンテンツをサーバにアップロードすることを可能にする、ステップ；
前記サーバによって、前記通信ネットワークを介して前記利用者に関連する前記１つ以上のユーザ装置から、第２の数の作成したコンテンツを受け取るステップ；
前記サーバによって、前記第２の所定数の第２の作成されたコンテンツを超えて前記利用者が前記サーバにアップロードすることを制約するステップ；
前記サーバによって、前記通信ネットワークを介してユーザ装置にアクセス可能となるように前記第２の作成されたコンテンツを公開するステップであって、前記第２の作成されたコンテンツの各々が、前記第２の所定数に向かって数えられるステップ；
前記サーバによって、前記公開された第２の作成されたコンテンツの第１の所定条件が第２の所定の閾値に達したことを特定するステップ；
前記公開された第２の作成されたコンテンツの前記第１の所定条件が前記第２の所定の閾値に達したことを特定するステップに応答して、（ｉ）前記サーバによって、前記第１の作成されたコンテンツの少なくとも１つが公開されるページを、追加のコンテンツが表示される第２の利用者によって制御される枠を含むように変更し、（ｉｉ）前記サーバによって、前記第２の利用者によって制御される枠を利用するための少なくとも１つの基準の利用者管理を可能とし、かつ（ｉｉｉ）前記サーバによって、前記利用者が、公開のために第３の所定数の第３の作成されたコンテンツをサーバにアップロードすることを可能にする、ステップ、
とを含む、方法。
【請求項１１】
前記第１の所定条件が、前記公開されたコンテンツの推薦数、前記公開されたコンテンツの閲覧者数、前記利用者により投稿された質問数、前記利用者により提供された回答数、または前記公開されたコンテンツの翻訳数の少なくとも１つを含むことを特徴とする、請求項１０に記載の方法。
【請求項１２】
前記サーバによって、標準化データに従って前記公開されたコンテンツを検索するステップをさらに含むことを特徴とする、請求項１０に記載の方法。
【請求項１３】
前記サーバによって、標準化データに従って前記公開されたコンテンツの評価のためのフォーマットを提供するステップをさらに含むことを特徴とする、請求項１０に記載の方法。
【請求項１４】
前記第１の利用者によって制御される枠が、第１の画像を受け取るように構成されることを特徴とする、請求項１０に記載の方法。
【請求項１５】
前記第１の画像が、グリーティングカード、写真、作品、またはロゴを含むことを特徴とする、請求項１４に記載の方法。